(57)【特許請求の範囲】
【請求項１】
太陽電池で発電した発電電力を電力保持デバイスに充電可能とするポータブル太陽電池発電システムにおいて、
該太陽電池によって得られた発電量を該発電量によって変動する入力データに変換するデータ変換部と、該入力データとしての数値データを含むデータをソフトウェアコンテンツに応じたデータにさらに変換して発電量モニタおよび該電力保持デバイスへの充電制御以外の用途において所定条件下でユーザへの休憩信号出力に使用するソフトウェア部とを有するポータブル太陽電池発電システム。
【請求項２】
請求項１に記載のポータブル太陽電池発電システムにおいて、
前記入力データに重み関数を用いてソフトウェアコンテンツに適したデータにさらに変換して前記ソフトウェア部で用いるポータブル太陽電池発電システム。
【請求項３】
請求項１または２に記載のポータブル太陽電池発電システムにおいて、
前記発電量によって変動する入力データとして数値データを用いその値から太陽光の強さを算出し、前記発電量モニタまたは前記電力保持デバイスの充電制御以外の用途に使用するソフトウェアコンテンツに応じた観測値にさらに変換する手段をさらに有し、該観測値が前記ソフトウェア部に入力されるポータブル太陽電池発電システム。
【請求項４】
請求項３に記載のポータブル太陽電池発電システムにおいて、
前記手段は、発電時間を計測するタイマ部と、前記データ変換部からの数値データに応じた発電量と該タイマ部で計測した発電時間とを合成して、ユーザがどれだけ太陽光に晒されたかを観測した前記観測値を出力するデータ合成部とを有し、該観測値を前記ソフトウェア部に入力してポイントとして用いるポータブル太陽電池発電システム。
【請求項５】
請求項３または４に記載のポータブル太陽電池発電システムにおいて、
前記ソフトウェア部は、前記発電量によって変動する前記数値データまたは該数値データから算出した太陽光の強さを表す数値データと発電時間の数値データとを合成して得られた前記観測値と、前記発電量モニタにおける発電量目標値または前記電力保持デバイスの充電制御における充電完了目標値と無関係に設定された判定値とを比較し、該観測値が該判定値に達するかまたは超えた場合に発電自体を中止するかまたは発電量が低下する場所へ移動することをユーザに報知するための信号を出力するポータブル太陽電池発電システム。
【請求項６】
請求項３から５のいずれかに記載のポータブル太陽電池発電システムにおいて、
前記ソフトウェア部は、観測によって得られたかまたは外部から提供された温度情報データ、万歩計（登録商標）または距離メータから得られた移動情報および、該万歩計（登録商標）または該距離メータから得られた移動情報にその移動時間を組み合わせた速度データのうちの少なくともいずれかを前記観測値の構成パラメータに追加した該観測値と、前記発電量モニタにおける発電量目標値または前記電力保持デバイスの充電制御における充電完了目標値と無関係に設定された判定値とを比較し、該観測値が該判定値に達するかまたは超えた場合に発電自体を中止するかまたは、前記発電量が低下する場所に移動することをユーザに報知するための信号を出力するポータブル太陽電池発電システム。
【請求項７】
請求項５または６に記載のポータブル太陽電池発電システムにおいて、
判定値入力部から情報入力したユーザの体力情報および体調情報を前記判定値の構成パラメータの一部として登録して該判定値を変更する判定合成部をさらに有するポータブル太陽電池発電システム。
【請求項８】
請求項５から７のいずれかに記載のポータブル太陽電池発電システムにおいて、
前記観測値が前記判定値に達するかまたは超えた場合に、前記発電自体を中止するかまたは、前記発電量が低下する場所に移動することをユーザに報知する信号を出力する前に、ユーザが、該発電自体を中止するかまたは、該発電量が低下する場所に移動する場合に、その活動停止地点での該観測値を保管し、その保管した該観測値を判定値として補正するポータブル太陽電池発電システム。
【請求項９】
請求項５から８のいずれかに記載のポータブル太陽電池発電システムにおいて、
前記ソフトウェア部は、前記観測値が前記判定値以上であるかどうかを判定する比較判定手段と、該観測値が該判定値以上であると該比較判定手段が判定した場合に、休息条件に対応したナビゲーションシステムの周辺情報を検索して該休息条件に対応した休息情報を提示する情報提示手段とを有するポータブル太陽電池発電システム。
【請求項１０】
請求項５から８のいずれかに記載のポータブル太陽電池発電システムにおいて、
前記ソフトウェア部は、前記観測値が前記判定値に達する前に、該観測値が該判定値に達する時間を予測し、事前に休憩時刻を提示する休息タイミング予測手段と、該観測値が該判定値以上であるかどうかを判定する比較判定手段と、該観測値が該判定値以上であると該比較判定手段が判定した場合に、休息条件に対応したナビゲーションシステムの周辺情報を検索して休息情報を提示する情報提示手段とを有するポータブル太陽電池発電システム。
【請求項１１】
請求項５から８のいずれかに記載のポータブル太陽電池発電システムにおいて、
前記ソフトウェア部は、行き先を設定するナビゲーションシステムの行き先までの距離情報、発電量情報、運動量情報、移動量情報および気温情報のうちの少なくとも発電量情報から得られる観測値から前記判定値に達する場所を予測し、事前に休憩時刻または休憩場所、その両方を提示する信号を出力する事前情報提示手段を有するポータブル太陽電池発電システム。
【請求項１２】
請求項５から８のいずれかに記載のポータブル太陽電池発電システムにおいて、
前記ソフトウェア部は、前記太陽電池の劣化の有無を検出する太陽電池検査手段と、該太陽電池が劣化しかつ前記電力保持デバイスへの充電が可能な場合に該太陽電池が劣化した程度に応じた発電量の補正を行う発電量補正手段とを有するポータブル太陽電池発電システム。
【請求項１３】
請求項１２に記載のポータブル太陽電池発電システムにおいて、
前記太陽電池検査手段は、システム内部または外部に太陽の照射強度の観測する照射強度観測部が設けられ、該照射強度観測部で観測された照射強度観測値と前記発電量との比較検証によって該発電量が基準値以上になったときに前記太陽電池の劣化を検出するポータブル太陽電池発電システム。
【請求項１４】
請求項１２に記載のポータブル太陽電池発電システムにおいて、
前記太陽電池検査手段は、前記太陽電池が複数の太陽電池パネルで構成され、該複数の太陽電池パネルの各発電量の差分値と基準値とを比較して該差分値が該基準値以上になったときに該太陽電池の劣化を検出するポータブル太陽電池発電システム。
【請求項１５】
請求項１２に記載のポータブル太陽電池発電システムにおいて、
前記太陽電池検査手段は、前記太陽電池に対して遮光しかつ該太陽電池に逆方向電圧を印加した状態で計測したリーク電流値と基準値とを比較して該リーク電流値が該基準値以上になったときに該太陽電池の劣化を検出するポータブル太陽電池発電システム。
【請求項１６】
請求項１２から１５のいずれかに記載のポータブル太陽電池発電システムにおいて、
前記観測値が前記判定値以上であるかどうかを判定する比較判定手段と、該観測値が該判定値以上であると該比較判定手段が判定した場合に、休息条件に対応したナビゲーションシステムの周辺情報を検索して休息情報を提示する情報提示手段とを更に有するポータブル太陽電池発電システム。
【請求項１７】
請求項１に記載のポータブル太陽電池発電システムにおいて、
前記太陽電池によって得られた発電量を一旦充電するキャパシタ部と、該キャパシタ部の充電電圧が上限規定値を超えたときに前記電力保持デバイスに電力を放出し、該キャパシタ部の充電電圧が下限規定値より低下したときに該電力保持デバイスへの充電を停止するパルス波形を出力する充電制御手段とを有するポータブル太陽電池発電システム。
【請求項１８】
請求項１７に記載のポータブル太陽電池発電システムにおいて、
単位時間当たりの前記充電制御手段から前記電力保持デバイスに充電する前記パルス波形の波形数を計測するカウンタ手段を有し、該カウンタ手段によるカウント値によって発電量を算出するポータブル太陽電池発電システム。
【発明の詳細な説明】
【技術分野】
【０００１】
本発明は、例えば携帯電話装置やポータブルゲーム機などの充電用デバイスとして用いられ、太陽光の強度を太陽電池の発電量によって観測しその発電量に応じたデータ値を充電以外の目的に使用するポータブル太陽電池発電システムに関する。
【背景技術】
【０００２】
従来の太陽電池発電システムは現在市場で多く広まっているが、その多くが住宅屋根上や企業、発電所に設置されている大型の太陽電池システムである。この場合、設置している従来の太陽電池発電システムの発電量観測・データ集計・公開は、設置者の投資効果の確認、エコ意識・節電意識の向上などに役立っている。また、この発電量管理は現在導入されている余剰電力買取制度にも活用されている。
【０００３】
一般的に、この従来の発電量管理は、アウトプットを管理するものであるが、中にはこの発電量を用いて太陽電池自体の故障診断にも活用されているものが存在する。
【０００４】
この特許文献１は、発電データをメモリ部に蓄積し、この発電データが所定以上の変化があった場合にそれを表示している。太陽電池はその性質から一般的には野外に設置されており、このため過酷な使用環境で用いられている。太陽電池の表面の汚れや劣化によってその発電特性が低下した場合に早急に対策するべきである。ところが、太陽光の強度が一定ではないためにその発電特性低下の判断が難しい。この特許文献１は、その課題に対して定量的な判定基準を自動的に行うことができるようになっている。
【０００５】
図１０は、特許文献１に開示されている従来の太陽電池発電システムの要部構成例を示すブロック図である。
【０００６】
図１０に示すように、従来の太陽電池発電システム１００は、太陽光に基づいて発電する太陽電池１０１と、太陽電池１０１からの発電電力が接続箱１０２を介して接続されて電力変換する電力変換装置１０３と、電力変換装置１０３の出力が交流分電盤１０４を介して商用電源１０５に接続されると共に家庭用負荷１０６に接続されている。電力変換装置１０３は送信部１０７を介して受信部１０８に太陽電池１０１の発電量を送信し、これを受信部１０８が受けて表示装置１０９にその発電量を表示すると共に、これを用いて太陽電池１０１の劣化や故障を検出して発電量管理および故障管理を行っている。
【先行技術文献】
【特許文献】
【０００７】
【特許文献１】特開２００６−３１０７８０号公報
【発明の概要】
【発明が解決しようとする課題】
【０００８】
上記特許文献１に開示されている従来の太陽電池発電システム１００のように、大型の太陽電池１０１は発電量管理・故障管理が重要な技術として導入されているが、最近、携帯電話装置やポータブルゲーム機の充電用デバイスとして市場に展開されているポータブル太陽電池発電システムには、従来の大型の太陽電池発電システム１００のような発電量を公開できる機能を有しているものはほとんどない。仮に、ポータブル太陽電池発電システムに発電量を公開できる機能があったとしても、数個のメモリ・バーで発電強度を示す程度でそれほどこの機能を重要視していない。
【０００９】
これは、従来のポータブル太陽電池発電システムが非常に安価であり、余剰なコストをかけることができないというのが大きな理由である。従来のポータブル太陽電池発電システムは災害時に役立つという位置付けで一時期販売が市場で促進されたが、実際のところ発電量が管理できない以上、ユーザは購入する際も購入後の導入効果も判断することが難しい。このため、有事の際に従来のポータブル太陽電池発電システムを使用することを考慮して購入し、実際に従来のポータブル太陽電池発電システムを使用する際には、発電量が不十分であったり、充電対象物との相性が悪く充電ができないという問題が生じてしまう虞がある。
【００１０】
従来のポータブル太陽電池発電システムは、大型太陽電池発電システム１００のように発電デバイスとして使用するにはそれほど効果を発揮できず、この発電という主目的ではその製品の利用価値が乏しいというのが本質的な問題である。
【００１１】
結局のところ、従来のポータブル太陽電池発電システムは災害時など有事の時に必要な機会があるかもしれないが、日常生活ではほとんど不要であり、普段使用しないことから有事の時に役に立たない可能性がある。
【００１２】
本発明は、上記従来の問題を解決するもので、太陽光発電を行うと共にその際に得られる発電量管理によって二次的な利便性を見出し、その結果、日常生活での活用を促すことができて有事の時にも日頃の使用により役に立たせることができるポータブル太陽電池発電システムを提供することを目的とする。
【課題を解決するための手段】
【００１３】
本発明のポータブル太陽電池発電システムは、太陽電池で発電した発電電力を電力保持デバイスに充電可能とするポータブル太陽電池発電システムにおいて、
該太陽電池によって得られた発電量を該発電量によって変動する入力データに変換するデータ変換部と、該数値データをソフトウェアコンテンツに応じたデータにさらに変換して発電量モニタおよび電力保持デバイスへの充電制御以外の用途に使用するソフトウェア部とを有するものであり、そのことにより上記目的が達成される。
【００１４】
また、好ましくは、本発明のポータブル太陽電池発電システムにおけるソフトウェアコンテンツはゲームまたはエクササイズである。
【００１５】
さらに、好ましくは、本発明のポータブル太陽電池発電システムにおけるソフトウェアコンテンツに応じたデータはゲームキャラクタに対するポイントであり、該ポイントに応じてゲームキャラクタが変化するように構成されている。
【００１６】
さらに、好ましくは、本発明のポータブル太陽電池発電システムにおける入力データまたは前記ゲームキャラクタのデータを共有データベースで管理し、複数のユーザ間で該共有データベースを介して該入力データまたは該ゲームキャラクタのデータを比較可能に構成されている。
【００１７】
さらに、好ましくは、本発明のポータブル太陽電池発電システムにおける入力データに重み関数を用いてソフトウェアコンテンツに適したデータにさらに変換して前記ソフトウェア部で用いる。
【００１８】
さらに、好ましくは、本発明のポータブル太陽電池発電システムにおける発電量によって変動する入力データとして数値データを用いその値から太陽光の強さを算出し、発電量モニタまたは電力保持デバイスの充電制御以外の用途に使用するソフトウェアコンテンツに応じた観測値にさらに変換する手段をさらに有し、該観測値が前記ソフトウェア部に入力される。
【００１９】
さらに、好ましくは、本発明のポータブル太陽電池発電システムにおける前記手段は、発電時間を計測するタイマ部と、前記データ変換部からの数値データに応じた発電量と該タイマ部で計測した発電時間とを合成して、ユーザがどれだけ太陽光に晒されたかを観測した前記観測値を出力するデータ合成部とを有し、該観測値を前記ソフトウェア部に入力してポイントとして用いる。
【００２０】
さらに、好ましくは、本発明のポータブル太陽電池発電システムにおけるソフトウェア部は、前記発電量によって変動する前記数値データまたは該数値データから算出した太陽光の強さを表す数値データと発電時間の数値データとを合成して得られた観測値と、発電量モニタにおける発電量目標値または前記電力保持デバイスの充電制御における充電完了目標値と無関係に設定された判定値とを比較し、該観測値が該判定値に達するかまたは超えた場合に発電自体を中止するかまたは発電量が低下する場所へ移動することをユーザに報知するための信号を出力する。
【００２１】
さらに、好ましくは、本発明のポータブル太陽電池発電システムにおける判定値と比較対象となる前記観測値を構成する発電量と発電継続時間は共に該観測値に対して正比例の関係にある。
【００２２】
さらに、好ましくは、本発明のポータブル太陽電池発電システムにおけるソフトウェア部は、観測によって得られたかまたは外部から提供された温度情報データを前記観測値の構成パラメータに追加した観測値と、発電量モニタにおける発電量目標値または前記電力保持デバイスの充電制御における充電完了目標値と無関係に設定された判定値とを比較し、該観測値が該判定値に達するかまたは超えた場合に発電自体を中止するかまたは、前記発電量が低下する場所に移動することをユーザに報知するための信号を出力する。
【００２３】
さらに、好ましくは、本発明のポータブル太陽電池発電システムにおけるソフトウェア部は、万歩計（登録商標）または距離メータから得られた移動情報を前記観測値の構成パラメータに追加した観測値と、発電量モニタにおける発電量目標値または前記電力保持デバイスの充電制御における充電完了目標値と無関係に設定された判定値とを比較し、該観測値が該判定値に達するかまたは超えた場合に発電自体を中止するかまたは、前記発電量が低下する場所に移動することをユーザに報知するための信号を出力する。
【００２４】
さらに、好ましくは、本発明のポータブル太陽電池発電システムにおけるソフトウェア部は、万歩計（登録商標）または距離メータから得られた移動情報にその移動時間を組み合わせた速度データを前記観測値の構成パラメータに追加した観測値と、発電量モニタにおける発電量目標値または前記電力保持デバイスの充電制御における充電完了目標値と無関係に設定された判定値とを比較し、該観測値が該判定値に達するかまたは超えた場合に発電自体を中止するかまたは、発電量が低下する場所に移動することをユーザに報知するための信号を出力する。
【００２５】
さらに、好ましくは、本発明のポータブル太陽電池発電システムにおいて、判定値入力部から情報入力したユーザの体力情報および体調情報を前記判定値の構成パラメータの一部として登録して該判定値を変更する判定合成部をさらに有する。
【００２６】
さらに、好ましくは、本発明のポータブル太陽電池発電システムにおける観測値が前記判定値に達するかまたは超えた場合に、前記発電自体を中止するかまたは、前記発電量が低下する場所に移動することをユーザに報知する信号を出力する前に、その活動を停止した場合に、その活動停止地点での観測値を保管し、その保管した観測値を判定値として補正する。
【００２７】
さらに、好ましくは、本発明のポータブル太陽電池発電システムにおけるソフトウェア部は、前記観測値が前記判定値以上であるかどうかを判定する比較判定手段と、該観測値が該判定値以上であると該比較判定手段が判定した場合に、休息条件に対応したナビゲーションシステムの周辺情報を検索して該休息条件に対応した休息情報を提示する情報提示手段とを有する。
【００２８】
さらに、好ましくは、本発明のポータブル太陽電池発電システムにおけるソフトウェア部は、前記休息条件の休憩時間を、蓄積された発電量情報、運動量情報、移動量情報および気温情報のうちの少なくとも発電量情報から算出して提示する。
【００２９】
さらに、好ましくは、本発明のポータブル太陽電池発電システムにおけるソフトウェア部は、前記休息条件の休憩場所を、蓄積された発電量情報、運動量情報、移動量情報、気温情報および時刻情報のうちの少なくとも発電量情報から周囲の休憩場所を検索して提示する。
【００３０】
さらに、好ましくは、本発明のポータブル太陽電池発電システムにおけるソフトウェア部は、前記観測値が前記判定値に達する前に、該観測値が該判定値に達する時間を予測し、事前に休憩時刻を提示する休息タイミング予測手段と、該観測値が該判定値以上であるかどうかを判定する比較判定手段と、該観測値が該判定値以上であると該比較判定手段が判定した場合に、休息条件に対応したナビゲーションシステムの周辺情報を検索して休息情報を提示する情報提示手段とを有する。
【００３１】
さらに、好ましくは、本発明のポータブル太陽電池発電システムにおけるソフトウェア部は、前記観測値が前記判定値に達する前に該観測値が該判定値に達する時間を予測し、事前に休憩時刻をユーザに報知する信号を出力する休息タイミング予測手段を有する。
【００３２】
さらに、好ましくは、本発明のポータブル太陽電池発電システムにおけるソフトウェア部は、行き先を設定するナビゲーションシステムの行き先までの距離情報、発電量情報、運動量情報、移動量情報および気温情報のうちの少なくとも発電量情報から得られる観測値から判定値に達する場所を予測し、事前に休憩時刻または休憩場所、その両方を提示する信号を出力する事前情報提示手段を有する。
【００３３】
さらに、好ましくは、本発明のポータブル太陽電池発電システムにおけるソフトウェア部は、前記太陽電池の劣化の有無を検出する太陽電池検査手段と、該太陽電池が劣化しかつ前記電力保持デバイスへの充電が可能な場合に該太陽電池が劣化した程度に応じた発電量の補正を行う発電量補正手段とを有する。
【００３４】
さらに、好ましくは、本発明のポータブル太陽電池発電システムにおける太陽電池検査手段は、システムの動作開始または定期的な観測タイミングで前記太陽電池の劣化量を観測し、前記発電量補正手段は該劣化量から観測値または判定値、その両方の補正を行い、該補正が困難となる値まで劣化が進んだ場合はアラームを提示する信号を出力する。
【００３５】
さらに、好ましくは、本発明のポータブル太陽電池発電システムにおける太陽電池検査手段は、システム内部または外部に太陽の照射強度の観測する照射強度観測部が設けられ、該照射強度観測部で観測された照射強度観測値と前記発電量との比較検証によって該発電量が基準値以上になったときに前記太陽電池の劣化を検出する。
【００３６】
さらに、好ましくは、本発明のポータブル太陽電池発電システムにおける太陽電池検査手段は、前記太陽電池が複数の太陽電池パネルで構成され、該複数の太陽電池パネルの各発電量の差分値と基準値とを比較して該差分値が該基準値以上になったときに該太陽電池の劣化を検出する。
【００３７】
さらに、好ましくは、本発明のポータブル太陽電池発電システムにおける太陽電池検査手段は、前記太陽電池に対して遮光しかつ該太陽電池に逆方向電圧を印加した状態で計測したリーク電流値と基準値とを比較して該リーク電流値が該基準値以上になったときに該太陽電池の劣化を検出する。
【００３８】
さらに、好ましくは、本発明のポータブル太陽電池発電システムにおける観測値が前記判定値以上であるかどうかを判定する比較判定手段と、該観測値が該判定値以上であると該比較判定手段が判定した場合に、休息条件に対応したナビゲーションシステムの周辺情報を検索して休息情報を提示する情報提示手段とを更に有する。
【００３９】
さらに、好ましくは、本発明のポータブル太陽電池発電システムにおける太陽電池によって得られた発電量を一旦充電するキャパシタ部と、該キャパシタ部の充電電圧が上限規定値を超えたときに前記電力保持デバイスに電力を放出し、該キャパシタ部の充電電圧が下限規定値より低下したときに該電力保持デバイスへの充電を停止するパルス波形を出力する充電制御手段とを有する。
【００４０】
さらに、好ましくは、本発明のポータブル太陽電池発電システムにおいて、単位時間当たりの前記充電制御手段から前記電力保持デバイスに充電する前記パルス波形の波形数を計測するカウンタ手段を有し、該カウンタ手段によるカウント値によって発電量を算出する。
【００４１】
本発明のポータブル太陽電池発電システムの駆動方法は、太陽電池で発電した発電電力を電力保持デバイスに充電可能とするポータブル太陽電池発電システムの駆動方法において、観測した該太陽電池の発電量によって変動する数値データまたは該数値データから算出した太陽光の強さを表す数値データ、発電時間の数値データ、外気温の数値データ、万歩計（登録商標）または距離メータから得られた移動距離の数値データおよび速度の数値データのうちの少なくとも該発電量の数値データを含むデータを合成して得られた観測値と、発電量モニタにおける発電量目標値または該電力保持デバイスの充電制御における充電完了目標値と無関係に設定された判定値とを比較し、比較判定手段が、前記観測値が前記判定値以上であるかどうかを判定する比較判定工程と、該観測値が該判定値以上であると該比較判定手段が判定した場合に、情報提示手段が、休息条件に対応したナビゲーションシステムの周辺情報を検索して該休息条件に対応した休息情報を提示する情報提示工程とを有するものであり、そのことにより上記目的が達成される。
【００４２】
また、好ましくは、本発明のポータブル太陽電池発電システムの駆動方法における情報提示工程は、前記情報提示手段が、前記休息条件の休憩時間を、蓄積された発電量情報、運動量情報、移動量情報および気温情報のうちの少なくとも発電量情報から算出して提示する。
【００４３】
さらに、好ましくは、本発明のポータブル太陽電池発電システムの駆動方法における情報提示工程は、前記情報提示手段が、前記休息条件の休憩場所を、蓄積された発電量情報、運動量情報、移動量情報、気温情報および時刻情報のうちの少なくとも発電量情報から周囲の休憩場所を検索して提示する。
【００４４】
さらに、好ましくは、本発明のポータブル太陽電池発電システムの駆動方法における休息タイミング予測手段が、前記観測値が前記判定値に達する前に、該観測値が該判定値に達する時間を予測し、事前に休憩時刻を提示する休息タイミング予測工程を前記比較判定工程の前に更に有する。
【００４５】
さらに、好ましくは、本発明のポータブル太陽電池発電システムの駆動方法における事前情報提示手段が、行き先を設定するナビゲーションシステムの行き先までの距離情報、発電量情報、運動量情報、移動量情報および気温情報のうちの少なくとも発電量情報から得られる前記観測値から前記判定値に達する場所を予測し、事前に休憩時刻または休憩場所、その両方を提示する信号を出力する事前情報提示工程を前記比較判定工程の前に更に有する。
【００４６】
さらに、好ましくは、本発明のポータブル太陽電池発電システムの駆動方法において、システムの動作開始または定期的な観測タイミングで、太陽電池検査手段が、前記太陽電池の劣化の有無を検出する太陽電池検査工程と、発電量補正手段が、該太陽電池が劣化しかつ前記電力保持デバイスへの充電が可能な場合に該太陽電池が劣化した程度に応じた発電量の補正を行う発電量補正工程とを有する。
【００４７】
さらに、好ましくは、本発明のポータブル太陽電池発電システムの駆動方法における太陽電池検査工程は前記太陽電池の劣化量を観測し、前記発電量補正工程は該劣化量から観測値または判定値、その両方の補正を行い、該補正が困難となる値まで劣化が進んだ場合はアラームを提示する信号を出力する。
【００４８】
さらに、好ましくは、本発明のポータブル太陽電池発電システムの駆動方法における。
【００４９】
さらに、好ましくは、本発明のポータブル太陽電池発電システムの駆動方法における太陽電池検査工程は、システム内部または外部に太陽の照射強度の観測する照射強度観測部で観測された照射強度観測値と前記発電量との比較検証によって該発電量が基準値以上になったときに前記太陽電池の劣化を検出する。
【００５０】
さらに、好ましくは、本発明のポータブル太陽電池発電システムの駆動方法における太陽電池検査工程は、前記太陽電池を構成する複数の太陽電池パネルの各発電量の差分値と基準値とを比較して該差分値が該基準値以上になったときに該太陽電池の劣化を検出する。
【００５１】
さらに、好ましくは、本発明のポータブル太陽電池発電システムの駆動方法における太陽電池検査工程は、前記太陽電池に対して遮光しかつ該太陽電池に逆方向電圧を印加した状態で計測したリーク電流値と基準値とを比較して該リーク電流値が該基準値以上になったときに該太陽電池の劣化を検出する。
【００５２】
さらに、好ましくは、本発明のポータブル太陽電池発電システムの駆動方法における比較判定手段が、前記観測値が前記判定値以上であるかどうかを判定する比較判定工程と、該観測値が該判定値以上であると該比較判定手段が判定した場合に、情報提示手段が、休息条件に対応したナビゲーションシステムの周辺情報を検索して休息情報を提示する情報提示工程とを更に有する。
【００５３】
本発明の制御プログラムは、本発明の上記ポータブル太陽電池発電システムの駆動方法の各工程をコンピュータに実行させるための処理手順が記述されたものであり、そのことにより上記目的が達成される。
【００５４】
本発明の可読記録媒体は、本発明の上記制御プログラムが格納されたコンピュータ読み取り可能なものであり、そのことにより上記目的が達成される。
【００５５】
上記構成により、以下、本発明の作用を説明する。
【００５６】
本発明においては、太陽電池で発電した発電電力を電力保持デバイスに充電可能とするポータブル太陽電池発電システムにおいて、太陽電池によって得られた発電量を発電量によって変動する数値データに変換するデータ変換部と、数値データをソフトウェアコンテンツに応じた入力データにさらに変換してこれを発電量モニタおよび電力保持デバイスへの充電制御以外の用途に使用するソフトウェア部とを有する。
【００５７】
これによって、太陽光発電を行うと共にその際に得られる発電量管理によって二次的な利便性を見出し、その結果、日常生活での活用を促すことができて有事の時にも日頃の使用により役に立たせることが可能となる。
【発明の効果】
【００５８】
以上により、本発明によれば、ポータブル太陽電池発電システムは、大型太陽電池発電システムのように発電デバイスとして使用するにはそれほど効果を発揮できず、この発電という主目的ではその製品の利用価値が乏しいという本質的な課題に対して、太陽電池から得られる発電電力量を数値化し、この発電量に応じた数値データを各種ゲームや各種エクササイズなどソフトウェアの機能と組み合わせることによってポータブルゲーム機や自転車ナビゲーションシステムなどに必要とされる環境情報デバイスとして太陽電池発電の二次的な利便性を見出しポータブル太陽電池発電システムを活用することによってポータブル太陽電池発電システムの信頼性を向上させることができる。
【００５９】
このように、太陽光発電を行うと共にその際に得られる発電量管理によって二次的な利便性を見出し、その結果、日常生活での活用を促すことができて有事の時にも日頃の使用により役に立たせることができる。
【図面の簡単な説明】
【００６０】
【図１】本発明の実施形態１におけるポータブル太陽電池発電システムの要部構成例を示すブロック図である。
【図２】本発明の実施形態２におけるポータブル太陽電池発電システムの要部構成例を示すブロック図である。
【図３】本発明の実施形態３におけるポータブル太陽電池発電システムの要部構成例を示すブロック図である。
【図４】本発明の実施形態４におけるポータブル太陽電池発電システムの要部構成例を示すブロック図である。
【図５】本発明の実施形態５におけるポータブル太陽電池発電システムの要部構成例を示すブロック図である。
【図６】本発明の実施形態６におけるポータブル太陽電池発電システムの動作例を示すフローチャートである。
【図７】（ａ）は、本発明の実施形態７におけるポータブル太陽電池発電システムの休息タイミング予測動作例を示すフローチャートであり、（ｂ）は、本発明の実施形態７におけるポータブル太陽電池発電システムの休息場所算出動作例を示すフローチャートである。
【図８】本発明の実施形態８におけるポータブル太陽電池発電システムの太陽電池検査および発電量補正処理を含む動作事例を示すフローチャートである。
【図９】本発明の実施形態９におけるポータブル太陽電池発電システムの要部構成例を示すブロック図である。
【図１０】特許文献１に開示されている従来の太陽電池発電システムの要部構成例を示すブロック図である。
【発明を実施するための形態】
【００６１】
本発明のポータブル太陽電池発電システムは、太陽電池で発電した発電電力を電力保持デバイスに充電可能とするポータブル太陽電池発電システムにおいて、太陽電池によって得られた発電量を発電量によって変動する数値データなどの入力データに変換するデータ変換部と、この入力データをソフトウェアコンテンツに応じたデータにさらに変換して発電量モニタおよび電力保持デバイスへの充電制御以外の用途に使用するソフトウェア部とを有している。ソフトウェアコンテンツは各種ゲームや各種エクササイズなどがある。
【００６２】
以下に、本発明のポータブル太陽電池発電システムの実施形態１〜９について図面を参照しながら具体的に説明する。
【００６３】
（実施形態１）
図１は、本発明の実施形態１におけるポータブル太陽電池発電システムの要部構成例を示すブロック図である。
【００６４】
図１において、本実施形態１のポータブル太陽電池発電システム１は、光を受けて発電する太陽電池２と、太陽電池２で発電した発電電力を充電制御する充電制御部３と、充電制御部３により充電される電力保持デバイスとしての二次電池４と、太陽電池２で発電した発電量を観測して発電量を監視する発電監視部５と、発電監視部５で観測した発電量を、発電量によって変化する入力データに変換するデータ変換部６と、例えばゲームソフトウェアで、その入力データを、ゲームキャラクタに関するポイント、例えばゲームキャラクタの育成ポイントに転換して用いるソフトウェア部７とを有している。
【００６５】
要するに、本実施形態１のポータブル太陽電池発電システム１は、光を受けて発電する太陽電池２によって得られた発電量を、発電量によって変動する数値データなどの入力データに変換するデータ変換部６と、このデータ変換部６で変換した数値データなどの入力データを用いてゲームのアプリケーションコンテンツを実行するソフトウェア部７とを有している。太陽電池２によって得られた発電量をゲームキャラクタの例えば馬を育てるなどの場合の育成ポイントに転換する。この育成ポイントに応じてゲームキャラクタが変化するように構成されている。例えば、赤ちゃん馬から子供の馬になって大人の馬になり、さらに足の速い馬になる。また、太陽電池２によって得られた発電量をユーザがどれだけ外を歩いたかをポイントに転換することもできる。太陽電池２によって得られた発電量をどれだけ充電したかを数値データなどの入力データで競うことにより、子供の頃からエコの意識をゲーム感覚で持たせることができる。
【００６６】
変換した電力量に応じた数値データ（入力データ）を、ソフトウェア部７でそのゲームソフトウェアに適した入力データにさらに変換を行う。要するに、太陽電池２によって得られた発電量はリニア関数になっているものの、そこに重み関数を用いてゲームソフトウェアに適した入力データにさらに変換を行う。発電量に応じて入力データに変換する際にどのように重み付けをゲームソフトウェアに適したように行う。例えば馬を育てるなどの場合、赤ちゃん馬から子供の馬になって大人の馬になり、足の速い馬になるまで通常４週間の期間がかかるところ、太陽の照射強度によっては発電量も急激に増えて１週間の期間で足の速い馬に育てることができる。
【００６７】
また、これらの複数のポータブル太陽電池発電システム１がネットワークＩ／Ｆを介してソーシャルネットワーク上のネットワークデータベース８に接続されており、発電量によって変動する数値データを発電量モニタまたは電力保持デバイスへの充電制御以外の用途に使用するソフトウェアに適した入力データの変換を行った後、その変換した入力データを、共有のネットワークデータベース８で管理を行い、複数のユーザ間で入力データまたはその入力データを構成パラメータとするソフトウェア出力データをユーザ間で比較したり競争したりするなどして活用することができる。ソーシャルネットワーク上のネットワークデータベース８を介して、所定のポータブル太陽電池発電システム１において発電量を育成ポイントとして育てた馬と、別のユーザのポータブル太陽電池発電システム１において発電量を育成ポイントとして育てた馬とを、育成ポイントを比較したりゲーム中で競走させることもできる。また、太陽電池２によって得られた発電量をユーザがどれだけ外を歩いたかをゲームで競うこともできる。
【００６８】
上記構成により、光を受けて太陽電池２は発電を行いその発電電力は充電制御部３を介して二次電池４に放出されて蓄電される。これが一般的な太陽電池２の主目的である発電経路である。また、太陽電池２で発電した発電量は発電監視部５によって観測を行う。観測された発電量データは後段に接続される発電量モニタまたは電力保持デバイスの充電制御以外の用途に使用するソフトウェア部７内で運用される制御プログラムに適した補正ルールに従ってデータ変換部６にて発電量によって変化する数値データなどの入力データに変換する。
【００６９】
ソフトウェア部７で用いる制御プログラムが例えばゲームソフトウェアの場合に、データ変換部６で発電量に応じて変換した入力データをゲームキャラクタの育成ポイントに転換することができる。この結果、太陽電池２はユーザインターフェースとして働く。ポータブルゲーム機は現在屋外で利用するシーンも多く、移動時に発電によるポータブルゲーム機の電池寿命を延ばすと共にゲームソフトへの活用を行い利便性の向上を実現することができる。
【００７０】
また、別の方法として発電量によって変化する入力データの数値データをポータブル太陽電池発電システム１からネットワークＩ／Ｆを介してネットワーク上のネットワークデータベース８にアップロードを行う。この入力データの数値データの活用方法としては、同一システムを保有するユーザとネットワーク上に公開されるランキングを競ったり、オンライン上に展開するゲームソフトウェア内のパラメータに転用したり、そのデータ量に応じて例えば電子データや商品割引ポイントなどの利益に変換してもよい。
【００７１】
以上により、本実施形態１によれば、日常生活で本来使用機会が非常に低いポータブル太陽電池発電システム１の利用頻度が大幅に向上することから、有事にポータブル太陽電池発電システム１を使用する際に利用できないというトラブル発生確率を大幅に減少させることができる。また、遊び感覚で自然エネルギ発電を学ぶことができ、これがエコ意識の向上となる。
【００７２】
したがって、ポータブル太陽電池発電システム１により、太陽光発電を行うと共にその際に得られる発電量をゲームに生かすことによってゲームを楽しみ屋外に居ることも楽しんで二次的な利便性を見出し、その結果、日常生活での活用を促すことができて有事の時にも日頃の使用によりポータブル太陽電池発電システム１を役に立たせることができる。
【００７３】
（実施形態２）
上記実施形態１では、データ変換部６で変換した数値データなどの入力データを用いてゲームのアプリケーションコンテンツを実行するソフトウェア部７について説明したが、本実施形態２では、データ変換部６で変換した数値データなどの入力データに対応した発電量と発電時間を用いて運動、訓練および実習などの各種エクササイズのアプリケーションコンテンツを実行するソフトウェア部７Ａについて説明する。
【００７４】
図２は、本発明の実施形態２におけるポータブル太陽電池発電システムの要部構成例を示すブロック図である。
【００７５】
図２において、本実施形態２のポータブル太陽電池発電システム１Ａは、光を受けて発電する太陽電池２と、太陽電池２で発電した発電電力を充電制御する充電制御部３と、充電制御部３により充電される電力保持デバイスとしての二次電池４と、太陽電池２で発電した発電量を観測して発電量を監視する発電監視部５と、発電監視部５で観測した発電量を、発電量によって変化する入力データに変換するデータ変換部６と、発電時間を測定するタイマ部１１と、データ変換部６からの数値データに応じた発電量とタイマ部１１で計測した発電時間とを合成して、ユーザがどれだけ太陽光にさらされたかを観測する観測値を出力するデータ合成部１２と、例えばエクササイズソフトウェアで、その入力データを例えば各種エクササイズに関するポイントに転換して用いるソフトウェア部７Ａとを有している。
【００７６】
要するに、本実施形態２のポータブル太陽電池発電システム１Ａは、光を受けて発電する太陽電池２によって得られた発電量を、発電量によって変動する数値データに変換するデータ変換部６と、発電時間を測定するタイマ部１１と、発電量および発電時間を合成して、ユーザがどれだけ太陽光に晒されたかを観測するデータ合成部１２と、このデータ合成部１２で合成した発電量と発電時間を用いて各種エクササイズのアプリケーションコンテンツを実行するソフトウェア部７Ａとを有している。太陽電池２によって得られた発電量は、ポータブル太陽電池発電システム１を持っているユーザにとっては直射日光を受けて体力を奪う要因に対応している。ナビゲーションシステムと連動させて次のこの地点で休憩を取ってくださいとユーザに報知することもできる。
【００７７】
ソフトウェア部７Ａは、発電量によって変動する数値データまたはその数値データから算出した太陽光の強さを表す数値データと発電継続時間の数値データから得られたデータ合成部１２からの観測値と、発電量モニタにおける発電量目標値または電力保持デバイスの充電制御における充電完了目標値と無関係に決定する判定値とを比較し、観測値が判定値に達したかまたは超えた場合にポータブル太陽電池発電システム１Ａの保有者（ユーザ）へ発電自体を中止するかまたは発電量が低下する場所への移動を行うことを促すようになっている。なお、これらの判定値と比較対象となる観測値を構成する発電量と発電継続時間は共に観測値に対して正比例の関係にある。
【００７８】
上記構成により、光を受けて太陽電池２の発電経路は、上記実施形態１の場合と同様に、通常の充電制御の経路で行う。発電監視部５は太陽電池２の発電量をモニタしその発電量に比例した数値データ（入力データ）に変換する。一方、発電が開始されると、内部のタイマ部１１が発動し発電時間を観測する。数値データに応じた発電量と太陽光の照射強度は比例関係にあるため、発電量が増加すると屋根上に設置されている太陽電池発電システムと異なり、ポータブル太陽光発電システム１Ａの場合は、保持しているユーザに対しても強い太陽光が降り注ぐことになる。即ち、ポータブル太陽電池発電システム１を持っているユーザにとっては直射日光が当たることは体力を奪うことになる。
【００７９】
また、この発電時間は太陽光に晒されている時間となるため、この発電量と発電時を組合せた数値データがポータブル太陽電池発電システム１Ａを保持しているユーザに対する太陽光によるストレスということになる。この太陽光によるストレスデータを観測値として積分していき、この積分値と設定している判定値とを比較して観測値が判定値に達するかまたは超えた場合に発電量が低下する場所、つまり対象者（ユーザ）に対する太陽光のストレスが低下する場所（例えば日陰など）へ移動することを促すことができる。
【００８０】
以上により、本実施形態２によれば、太陽光発電を行うと共にその際に得られる発電量情報および発電時間情報によってエクササイズに二次的な利便性を見出し、その結果、日常生活でのポータブル太陽電池発電システム１Ａの各種エクササイズによる活用を促すことができる。これによって、日頃のポータブル太陽電池発電システム１Ａの使用により有事の時にもポータブル太陽電池発電システム１Ａをより確実に役に立たせることができるものである。
（実施形態３）
上記実施形態２では、データ変換部６で変換した数値データに対応した発電量と発電時間を用いて運動、訓練および実習などの各種エクササイズのアプリケーションコンテンツを実行するソフトウェア部７Ａについて説明したが、本実施形態３では、発電量と発電時間に加えて外気温情報および移動距離情報を用いて運動、訓練および実習などの各種エクササイズのアプリケーションコンテンツを実行するソフトウェア部７Ｂについて具体的に説明する。
【００８１】
図３は、本発明の実施形態３におけるポータブル太陽電池発電システムの要部構成例を示すブロック図である。
【００８２】
図３において、本実施形態３のポータブル太陽電池発電システム１Ｂは、光を受けて発電する太陽電池２と、太陽電池２で発電した発電電力を充電制御する充電制御部３と、充電制御部３により充電される電力保持デバイスとしての二次電池４と、太陽電池２で発電した発電量を観測して発電量を監視する発電監視部５と、発電監視部５で観測した発電量を、発電量に応じて変化する入力データに変換するデータ変換部６と、発電時間を測定するタイマ部１１と、ポータブル太陽電池発電システム１Ｂの外部温度（温度情報）を計測する温度計１３と、徒歩または走った距離情報を計測する万歩計（登録商標）１４または、自転車で走行した走行距離情報を計測する距離メータ１５と、データ変換部６からの数値データに応じた発電量、タイマ部１１で計測した発電時間、温度計１３からの温度情報および、万歩計（登録商標）１４または距離メータ１５からの距離情報を合成して、ユーザがどれだけ太陽光および気温を含む周囲環境負荷（ストレス）に晒されたかを観測する観測値を出力するデータ合成部１２Ｂと、例えばエクササイズソフトウェアで、その観測値を例えば各種エクササイズに関するポイントに転換して用いるソフトウェア部７Ｂとを有している。
【００８３】
要するに、本実施形態２のポータブル太陽電池発電システム１Ｂは、光を受けて発電する太陽電池２によって得られた発電量を、発電量によって変動する数値データに変換するデータ変換部６と、発電時間を測定するタイマ部１１と、外気温（温度情報）を計測する温度計１３と、距離情報を計測する万歩計（登録商標）１４または、走行距離情報を計測する距離メータ１５と、発電量、発電時間、温度情報および移動距離情報とを合成して、ユーザがどれだけ太陽光および気温を含む周囲環境（ストレス）と負荷に晒されたかを観測して観測値を出力するデータ合成部１２Ｂと、例えばエクササイズソフトウェアで、その観測地を例えば各種エクササイズに関するポイントに転換して用いるソフトウェア部７Ｂとを有している。
【００８４】
ソフトウェア部７Ｂは、温度計１３による観測によって得られたかまたは外部から提供された温度情報データおよび、万歩計（登録商標）１４または自転車の走行距離メータ１５から得られた移動情報データを、データ合成部１２Ｂからの出力観測値の構成パラメータに追加した観測値と、発電量モニタにおける発電量目標値または電力保持デバイスの充電制御における充電完了目標値と無関係に決定する判定値とを比較し、観測値が判定値に達したかまたは超えた場合に、ポータブル太陽電池発電システム１Ｂから保有者（ユーザ）へ発電自体の中止または発電量が低下する場所（日陰）にユーザの移動を促す休憩信号を外部に出力してユーザに休憩表示の他、休憩ランプや休憩音などにより報知するようになっている。
【００８５】
発電量モニタにおける発電量目標値または電力保持デバイスの充電制御における充電完了目標値と無関係に決定する判定値とは、充電完了は二次電池４で決定するのでソーラーシステムとは関係がないユーザ本人の体力や体調に関する値である。
【００８６】
このように、データ合成部１２Ｂからの観測値に温度計１３からの気温情報と、万歩計（登録商標）１４または距離メータ１５からの移動距離情報とを組み合わせている。追加されたこの２つの気温情報と移動距離情報とはポータブル太陽電池発電システム１Ｂを保有するユーザにとって太陽光の場合と同様にストレス環境となっている。
【００８７】
このため、データ合成部１２Ｂの観測値の構成パラメータに太陽光ストレスデータとしての気温情報および移動距離情報をある一定のルール（重み付け）に応じて足し合わせ、この足し合わせた観測値と判定値とを比較し、観測値が判定値に達するかまたは超えた場合に、発電量が低下する場所つまり対象者（ユーザ）に対する太陽光のストレスが低下する場所（例えば日陰など）での休息を促すように報知することができる。なお、移動距離情報については徒歩の場合は万歩計（登録商標）１４、自転車の場合は走行距離メータ１５を活用することができる。
【００８８】
以上により、本実施形態３によれば、太陽光発電を行うと共にその際に得られる発電量情報および発電時間情報の他に、温度計１３からの気温情報と、万歩計（登録商標）１４または距離メータ１５からの移動距離情報を追加することによって各種エクササイズに二次的な利便性を見出し、その結果、日常生活でのポータブル太陽電池発電システム１Ｂの各種エクササイズによる活用を大いに促すことができる。これによって、日頃のポータブル太陽電池発電システム１Ｂの使用により有事の時にもポータブル太陽電池発電システム１Ｂをより確実に役に立たせることができる。
【００８９】
なお、本実施形態３では、ソフトウェア部７Ｂは、温度計１３による観測によって得られたかまたは外部から提供された温度情報データおよび、万歩計（登録商標）１４または自転車の走行距離メータ１５から得られた移動情報データを、データ合成部１２Ｂからの出力観測値の構成パラメータに追加した観測値と予め設定された判定値とを比較し、観測値が判定値以上の場合に、ユーザに発電自体を中止するかまたは、発電量が低下する場所（日陰）にユーザの移動を促す休憩信号を外部に出力してユーザに休憩ランプや休憩音などにより報知するように構成したが、これに限らず、ソフトウェア部７Ｂは、温度計１３による観測によって得られたかまたは外部から提供された温度情報データおよび、万歩計（登録商標）１４または自転車の走行距離メータ１５から得られた移動情報データのうちの少なくともいずれかを構成パラメータに追加した観測値と予め設定した判定値とを比較して観測値が判定値以上になったときに休憩信号を出力してユーザに休憩ランプや休憩音などにより休憩を報知するように構成することもできる。
【００９０】
即ち、ソフトウェア部７Ｂは、温度計１３による観測によって得られたかまたは外部から提供された温度情報データを、データ合成部１２Ｂからの出力観測値の構成パラメータに追加した観測値と、発電量モニタにおける発電量目標値または電力保持デバイスの充電制御における充電完了目標値と無関係に決定する判定値とを比較し、データ合成部１２Ｂからの観測値が予め設定した判定値に達したかまたは超えた場合に、ポータブル太陽電池発電システム１Ｂから保有者（ユーザ）に発電自体の中止または発電量が低下する場所（日陰など）にユーザの移動を促す休憩信号を出力してユーザに休憩ランプや休憩音などにより休憩を報知するようにしてもよい。
【００９１】
また、ソフトウェア部７Ｂは、万歩計（登録商標）１４または自転車の走行距離メータ１５から得られた移動情報データを、データ合成部１２Ｂからの出力観測値の構成パラメータに追加した観測値と、発電量モニタにおける発電量目標値または電力保持デバイスの充電制御における充電完了目標値と無関係に決定する判定値とを比較し、観測値が判定値に達したかまたは超えた場合に、ポータブル太陽電池発電システム１Ｂから保有者（ユーザ）へ発電自体の中止または発電量が低下する場所（日陰など）にユーザの移動を促す休憩信号を外部に出力してユーザに休憩ランプや休憩音などにより休憩を報知するようにしてもよい。
【００９２】
（実施形態４）
上記実施形態３では、太陽光発電を行うと共にその際に得られる発電量情報および発電時間情報の他に、温度計１３からの気温情報と、万歩計（登録商標）１４または距離メータ１５からの移動距離情報とを追加することによって各種エクササイズに二次的な利便性を見出したが、本実施形態４では、太陽光発電を行うと共にその際に得られる発電量情報および発電時間情報の他に、温度計１３からの気温情報と、万歩計（登録商標）１４または距離メータ１５からの移動距離情報と、後述する速度メータ１６からの運動情報とを追加することによって各種エクササイズに二次的な利便性を見出す場合について説明する。
【００９３】
図４は、本発明の実施形態４におけるポータブル太陽電池発電システムの要部構成例を示すブロック図である。
【００９４】
図４において、本実施形態４のポータブル太陽電池発電システム１Ｃは、光を受けて発電する太陽電池２と、太陽電池２で発電した発電電力を充電制御する充電制御部３と、充電制御部３により充電される電力保持デバイスとしての二次電池４と、太陽電池２で発電した発電量を観測して発電量を監視する発電監視部５と、発電監視部５で観測した発電量を、発電量に応じて変化する入力データに変換するデータ変換部６と、発電時間を測定するタイマ部１１と、ポータブル太陽電池発電システム１Ｃの外部温度（温度情報）を計測する温度計１３と、徒歩または走った距離情報を計測する万歩計（登録商標）１４または、自転車で走行した走行距離情報を計測する距離メータ１５と、自転車で走行した運動情報を計測する速度メータ１６と、データ変換部６からの数値データに応じた発電量、タイマ部１１で計測した発電時間、温度計１３からの温度情報、万歩計（登録商標）１４または距離メータ１５からの距離情報および、速度メータ１６からの運動情報を合成して、ユーザがどれだけ太陽光および気温を含む周囲環境負荷（ストレス）に晒されたかを観測する観測値を出力するデータ合成部１２Ｃと、例えばエクササイズソフトウェアで、その観測値を例えば各種エクササイズに関するポイントに転換して用いるソフトウェア部７Ｃとを有している。
【００９５】
要するに、本実施形態２のポータブル太陽電池発電システム１Ｃは、光を受けて発電する太陽電池２によって得られた発電量を、発電量によって変動する数値データ（入力データ）に変換するデータ変換部６と、発電時間を測定するタイマ部１１と、外気温（温度情報）を計測する温度計１３と、距離情報を計測する万歩計（登録商標）１４または、走行距離情報を計測する距離メータ１５と、運動情報を計測する速度メータ１６と、発電量、発電時間、温度情報、移動距離情報および運動情報を合成して、ユーザがどれだけ太陽光および気温を含む周囲環境負荷（ストレス）に晒されたかを観測して観測値を出力するデータ合成部１２Ｂと、例えばエクササイズソフトウェアで、その観測値を例えば各種エクササイズに関するポイントに転換して用いるソフトウェア部７Ｂとを有している。
【００９６】
ソフトウェア部７Ｃは、温度計１３からの温度情報データおよび、万歩計（登録商標）１４または自転車の距離メータ１５から得られた移動情報データ、この移動情報データにその移動継続時間を組み合わせた速度データ（または速度メータ１６から得られる運動情報データ）を観測値の構成パラメータに追加した観測値と、発電量モニタにおける発電量目標値または電力保持デバイスの充電制御における充電完了目標値と無関係に決定する判定値とを比較し、観測値が判定値に達するかまたは超えた場合に、ポータブル太陽電池発電システム１Ｃの保有者（ユーザ）へ発電自体の中止を行うかまたは、発電量が低下する場所（日陰など）へ移動することを促すように休憩信号を出力してユーザに休憩表示の他、休憩ランプや休憩音などにより報知するようになっている。
【００９７】
このように、データ合成部１２Ｂからの観測値に、温度計１３からの気温情報と、万歩計（登録商標）１４または距離メータ１５からの移動距離情報とを組み合わせると共に、速度メータ１６からの運動情報を加算して組み合わせている。ポータブル太陽光発電システム１Ｃは設置して使用するのではなくこれを保持しているユーザが移動することを想定している。移動速度が速くなればなるほど、対象者（ユーザ）の体力が低下する。これに太陽光によるストレス、気温の上昇さらに対象者（ユーザ）の体力を低下させる。このため、これらの観測値（ユーザ）は全て正方向に加算し、この観測値と予め設定した判定値とを比較して観測値が判定値に達したかまたは超えた場合に、発電量が低下する場所つまり対象者（ユーザ）に対する太陽光のストレスが低下する場所（例えば日陰など）での休息を促すかまたは、その移動速度の低下を促すように、休憩信号を出力してユーザに休憩ランプや休憩音などにより報知する。
【００９８】
以上により、本実施形態４によれば、太陽光発電を行うと共にその際に得られる発電量情報および発電時間情報の他に、温度計１３からの気温情報と、万歩計（登録商標）１４または距離メータ１５からの移動距離情報と、速度メータ１６から得られる運動情報とを追加した観測値と、予め入力された判定値とを比較することによって各種エクササイズに二次的な利便性を見出し、その結果、日常生活でのポータブル太陽電池発電システム１Ｃの各種エクササイズによる活用を大いに促すことができる。これによって、日頃のポータブル太陽電池発電システム１Ｃの使用により有事の時にもポータブル太陽電池発電システム１Ｃをより確実に役に立たせることができる。
【００９９】
なお、本実施形態４では、ソフトウェア部７Ｃは、温度計１３による観測によって得られたかまたは外部から提供された温度情報データ、万歩計（登録商標）１４または自転車の走行距離メータ１５から得られた移動情報データおよび、速度メータ１６から得られる運動情報データを、データ合成部１２Ｃからの出力観測値の構成パラメータに追加した観測値と予め設定された判定値とを比較し、観測値が判定値以上の場合に、ユーザに発電自体の中止を行うかまたは、発電量が低下する場所（日陰）にユーザの移動を促す休憩信号を外部に出力してユーザに休憩ランプや休憩音などにより報知するように構成したが、これに限らず、ソフトウェア部７Ｂは、温度計１３による観測によって得られたかまたは外部から提供された温度情報データ、万歩計（登録商標）１４または自転車の走行距離メータ１５から得られた移動情報データおよび、速度メータ１６から得られる運動情報データのうちの少なくともいずれかを構成パラメータに追加した観測値と予め設定した判定値とを比較して観測値が判定値以上になったときに休憩信号を出力してユーザに休憩ランプや休憩音などにより休憩を報知するように構成することもできる。
【０１００】
例えば、ソフトウェア部７Ｃとして、速度メータ１６から得られる運動情報データを、データ合成部１２Ｃからの出力観測値の構成パラメータに追加した観測値と判定値とを比較し、データ合成部１２Ｃからの観測値が予め設定した判定値に達したかまたは超えた場合に、ポータブル太陽電池発電システム１Ｃから保有者（ユーザ）に発電自体の中止または発電量が低下する場所（日陰など）にユーザの移動を促す休憩信号を出力してユーザに休憩ランプや休憩音などにより報知するようにしてもよい。
【０１０１】
（実施形態５）
上記実施形態４では、太陽光発電を行うと共にその際に得られる発電量情報および発電時間情報の他に、温度計１３からの気温情報と、万歩計（登録商標）１４または距離メータ１５からの移動距離情報と、速度メータ１６からの運動情報とを合成して観測値を設定する場合について説明したが、本実施形態５では、これに加えて、判定値が決定される条件を入力して判定値を変更する場合について説明する。
【０１０２】
図５は、本発明の実施形態５におけるポータブル太陽電池発電システムの要部構成例を示すブロック図である。
【０１０３】
図５において、本実施形態５のポータブル太陽電池発電システム１Ｄは、光を受けて発電する太陽電池２と、太陽電池２で発電した発電電力を充電制御する充電制御部３と、充電制御部３により充電される電力保持デバイスとしての二次電池４と、太陽電池２で発電した発電量を観測して発電量を監視する発電監視部５と、発電監視部５で観測した発電量を、発電量に応じて変化する入力データに変換するデータ変換部６と、発電時間を測定するタイマ部１１と、ポータブル太陽電池発電システム１Ｄの外部温度（温度情報）を計測する温度計１３と、徒歩または走った距離情報を計測する万歩計（登録商標）１４または、自転車で走行した走行距離情報を計測する距離メータ１５と、自転車で走行した運動情報を計測する速度メータ１６と、データ変換部６からの数値データに応じた発電量、タイマ部１１で計測した発電時間、温度計１３からの温度情報、万歩計（登録商標）１４または距離メータ１５からの距離情報および、速度メータ１６からの運動情報を合成して、ユーザがどれだけ太陽光および気温を含む周囲環境負荷（ストレス）に晒されたかを観測する観測値を出力するデータ合成部１２Ｄと、ユーザの体力および体調に関するデータを入力する判定値入力部１７と、判定値入力部１７により入力された値を判定値に合成する判定合成部１８と、例えばエクササイズソフトウェアで、その観測値を例えば各種エクササイズに関するポイントに転換して用いるソフトウェア部７Ｄとを有している。
【０１０４】
要するに、本実施形態５のポータブル太陽電池発電システム１Ｄは、光を受けて発電する太陽電池２によって得られた発電量を、発電量によって変動する数値データ（入力データ）に変換するデータ変換部６と、発電時間を測定するタイマ部１１と、外気温（温度情報）を計測する温度計１３と、距離情報を計測する万歩計（登録商標）１４または、走行距離情報を計測する距離メータ１５と、運動情報を計測する速度メータ１６と、発電量、発電時間、温度情報、移動距離情報および運動情報を合成して、ユーザがどれだけ太陽光および気温を含む周囲環境負荷（ストレス）に晒されたかを観測して観測値を出力するデータ合成部１２Ｄと、判定値入力を行う判定値入力部１７と、判定値入力部１７により入力された判定値入力を判定値に合成する判定合成部１８と、例えばエクササイズソフトウェアで、その観測値を例えば各種エクササイズに関するポイントに転換して用いるソフトウェア部７Ｄとを有している。
【０１０５】
ソフトウェア部７Ｄは、温度計１３からの温度情報データおよび、万歩計（登録商標）１４または自転車の距離メータ１５から得られた移動情報データ、速度メータ１６から得られる運動情報データを観測値の構成パラメータに追加した観測値と、判定値入力部１７から入力された判定情報を判定合成部１８で合成して変更された判定値とを比較し、観測値がこの判定値に達するかまたは超えた場合に、ポータブル太陽電池発電システム１Ｄの保有者（ユーザ）へ発電自体の中止を行ったりまたは、発電量が低下する場所（日陰など）へ移動することを促すように休憩信号を出力してユーザに休憩表示の他、休憩ランプや休憩音などにより報知するようになっている。
【０１０６】
判定合成部１８は、判定値にポータブル太陽電池発電システム１Ｄの保有者（ユーザ）の体力情報や当日の体調情報などの判定情報データを判定値の構成パラメータの一部として判定値入力部１７から入力して登録する。これを用いるのは一または複数人であり、今日はいつも（１００）より疲れている（８０）とか、今日は少しがんばってみようか（１１０）などがある。この判定値を外部の判定値入力部１７から判定合成部１８に入力できる。
【０１０７】
データ合成部１２Ｄからの観測値が判定値に達するかまたは超えた場合に、ポータブル太陽電池発電システム１Ｄの保有者（ユーザ）へ発電自体の中止または発電量が低下する場所（日陰など）へ移動することをソフトウェア部７Ｄが促す前に、その活動を停止した場合、判定合成部１８は、その活動を停止した地点での観測値を保管し、その保管した観測値を判定値の補正係数として運用する。即ち、簡単に説明すると、ユーザ自らが設定した判定値よりも先に休憩をとる場合に、元々無理な設定をしていないかどうかであり、そのときの判定値を先に休憩をとるレベルの判定値に順次補正する。例えば判定値「１０」のときに「８」で休憩した場合に「２」だけ無理をしていたと判断して判定値を「８」に補正する。
【０１０８】
このように、本システムを保有するユーザは、観測値が判定値に達したかまたは超えた場合に、ポータブル太陽電池発電システム１Ｄの保有者（ユーザ）へ発電自体の中止を行うかまたは発電量が低下する場所（日陰など）へ移動することを促す前に、その活動を停止した場合、その活動を停止した地点での観測値を判定値の補正値として保管し、その保管した値を判定値の補正に使用する。この設定判定値と実際の休憩時の誤差の蓄積は設定した判定値に無理が生じている場合にも、過去事例から得られた情報を元にユーザに注意を促すことができる。
【０１０９】
また、判定値入力部１７から判定情報データを入力して判定合成部１８で合成して新たな判定値とすることにより判定値を状況に応じて変更することができる。一方、観測値はポータブル太陽電池発電システム１Ｄを保有しているユーザの外部環境を示すものであるが、判定値はユーザのストレスが増加し危険な状態にならないように設定する。このため、この判定値はユーザの日々の状態つまり体調に応じて、判定値入力部１７から判定情報データを入力して変化させていくことが望ましい。
【０１１０】
このため、システム使用開始前に図５に示すように判定合成部１８に判定値入力部１７からの判定情報データの入力を受け付け、その入力に応じて判定値を補正することができる。
【０１１１】
以上により、本実施形態５によれば、太陽光発電を行うと共にその際に得られる発電量情報および発電時間情報の他に、温度計１３からの気温情報と、万歩計（登録商標）１４または距離メータ１５からの移動距離情報と、速度メータ１６から得られる運動情報を追加した観測値と、ユーザの当日の体力と体調によって順次補正された判定値とを比較することによって各種エクササイズに二次的な利便性を見出し、その結果、日常生活でのポータブル太陽電池発電システム１Ｄの各種エクササイズによる活用を大いに促すことができる。これによって、日頃のポータブル太陽電池発電システム１Ｄの使用により有事の時にもポータブル太陽電池発電システム１Ｄをより確実に役に立たせることができる。
【０１１２】
（実施形態６）
本実施形態６では、ナビゲーションシステムと連動したエクササイズソフトウェアにおいて、休息条件提示について説明する。ここでは、図４のポータブル太陽電池発電システム１Ｅに適用して説明する。
【０１１３】
本実施形態６のポータブル太陽電池発電システム１Ｅにおけるソフトウェア部７Ｅは、ＣＰＵで構成されており、可読記録媒体としてのＲＯＭからＲＡＭ内に読み出された制御プログラムおよびそのデータに基づいて、データ合成部１２Ｃから出力される観測値が予め設定された判定値以上であるかどうかを判定する比較判定手段と、休息条件に対応したナビゲーションシステムの周辺情報を検索して休息条件に対応した情報を提示する情報提示手段とを有している。
【０１１４】
図６は、本発明の実施形態６におけるポータブル太陽電池発電システム１Ｅの動作例を示すフローチャートである。
【０１１５】
図６において、本実施形態６のポータブル太陽電池発電システム１Ｅは、ステップＳ１でデータ観測を行う。即ち、データ変換部６は、光を受けて発電する太陽電池２によって得られた発電量を、発電量によって変動する数値データ（入力データ）に変換する。また、タイマ部１１は発電時間を測定する。温度計１３は外気温（温度情報）を計測する。万歩計（登録商標）１４は距離情報を計測し、または自転車の距離メータ１５は走行距離情報を計測する。さらに、自転車の速度メータ１６は運動情報を計測する。
【０１１６】
次に、ステップＳ２でデータ合成を行う。即ち、データ合成部１２Ｃは、発電量、発電時間、温度情報、移動距離情報および運動情報を合成して、ユーザがどれだけ太陽光および気温を含む周囲環境負荷（ストレス）に晒されて体力を奪われたかを示す観測値をソフトウェア部７Ｄに出力する。
【０１１７】
続いて、ステップＳ３でデータ合成部１２Ｃから出力される観測値が予め設定された判定値以上になるまで待ち、比較判定手段が、観測値が判定値以上であると判定したときに（ＹＥＳ）、情報提示手段が、ステップＳ４で条件（１）であるかどうかを判定し、ステップＳ４で条件（１）であれば（ＹＥＳ）、ステップＳ５で休息条件（１）を検索し、ステップＳ６で休息条件（１）に対応したナビゲーションシステムの周辺情報を検索する。次のステップＳ７でナビゲーションシステムの周辺情報から休息条件（１）に対応した休息条件を提示してステップＳ１５で処理が終了かどうかを確認し、処理が終了でなければ（ＮＯ）、ステップＳ１の処理に戻る。
【０１１８】
また、ステップＳ４で条件（１）であるかどうかの判定が条件（１）でないならば（ＮＯ）、情報提示手段が、ステップＳ８で条件（２）であるかどうかを判定し、ステップＳ８で条件（２）であれば（ＹＥＳ）、次のステップＳ９で休息条件（２）を検索し、ステップＳ１０で休息条件（２）に対応したナビゲーションシステムの周辺情報を検索する。次のステップＳ１１でナビゲーションシステムの周辺情報から休息条件（２）に対応した休息条件を提示してステップＳ１５で処理が終了かどうかを確認し、処理が終了でなければ（ＮＯ）、ステップＳ１の処理に戻る。
【０１１９】
また、ステップＳ８で条件（２）でないならば（ＮＯ）、情報提示手段が、ステップＳ１２で休息条件（３）を検索し、ステップＳ１３で休息条件（３）に対応したナビゲーションシステムの周辺情報を検索する。次のステップＳ１４でナビゲーションシステムの周辺情報から休息条件（３）に対応した休息条件を提示してステップＳ１５で処理が終了かどうかを確認し、処理が終了でなければ（ＮＯ）、ステップＳ１の処理に戻る。
【０１２０】
この場合に、条件（１）が例えば運動条件であれば休息条件（１）として速度を落とすか速度を止めればよい。条件（２）が例えば太陽光の照射条件（発電量）であれば休息条件（２）として直射日光を避けて日陰に入ればよい。条件（３）が例えば温度条件であれば休息条件（３）として日陰に入るかまたは水分を取りましょうと提示する。ナビゲーションシステムの周辺情報から休息条件に対応した休息条件を提示する。例えば日陰や休憩場所、給水場所が必要であれば、ナビゲーションシステムの周辺情報から日陰や休憩場所、給水場所に対応した公園や喫茶店の位置を表示画面上の地図上で提示する。
【０１２１】
ポータブル太陽電池発電システム１Ｅにおいて、観測値が判定値に達したかまたは超えた場合に、適度の休憩時間を、蓄積された発電量情報、運動量情報、移動量情報および気温情報のいずれかまたはそれぞれの組合せデータから算出して提示する。
【０１２２】
ポータブル太陽電池発電システム１Ｅにおいて、発電量情報、運動量情報、移動量情報、気温情報および時刻情報のいずれかまたはそれぞれの組合せデータから、ナビゲーションシステムと連動して周囲の休憩場所を検索して提示する。この場合、周囲の休憩場所などを検索して提示するための表示画面が設けられている。
【０１２３】
要するに、本実施形態６のポータブル太陽電池発電システム１Ｅの駆動方法は、観測した太陽電池２の発電量によって変動する数値データまたは数値データから算出した太陽光の強さを表す数値データ、発電時間の数値データ、外気温の数値データ、万歩計（登録商標）または距離メータから得られた移動距離の数値データおよび速度の数値データのうちの少なくとも発電量の数値データを含むデータを合成して得られた観測値と、発電量モニタにおける発電量目標値または該電力保持デバイスの充電制御における充電完了目標値と無関係に設定されたユーザ自身の判定値とを比較し、可読記録媒体としてのＲＯＭからＲＡＭ内に読み出された制御プログラムおよびそのデータに基づいて、比較判定手段が、観測値が判定値以上であるかどうかを判定する比較判定工程と、観測値が判定値以上であると比較判定手段が判定した場合に、情報提示手段が、休息条件に対応したナビゲーションシステムの周辺情報を検索して休息条件に対応した休息情報を提示する情報提示工程とを有している。
【０１２４】
この情報提示工程は、情報提示手段が、休息条件の休憩時間を、蓄積された発電量情報、運動量情報、移動量情報および気温情報のうちの少なくとも発電量情報から算出して提示する。また、情報提示工程は、情報提示手段が、休息条件の休憩場所を、蓄積された発電量情報、運動量情報、移動量情報、気温情報および時刻情報のうちの少なくとも発電量情報から周囲の休憩場所を検索して提示する。
【０１２５】
さらに説明すると、比較判定手段が観測値が判定値に達したかまたは超えたと判定した場合（ステップＳ３でＹＥＳ）に、情報提示手段が発電量が低下する場所つまり対象者（ユーザ）に対する太陽光のストレスが低下する場所（例えば日陰など）での休息を促す際にその休息条件（１）〜（３）を観測値の内容に応じて提示する。例えば太陽光によるストレスが支配的な場合は発電量が大幅に低下する日陰での休息を促し、その累積発電継続時間に応じて長時間の休息を要求する。
【０１２６】
また、移動量、運動量によるストレスが支配的な場合はその移動、運動を停止させ水分補給を促し、太陽光の発電が継続する場所においても休息は可とする等の条件選択を行い、ポータブル太陽電池発電システム１Ｅのユーザに対して休息条件の提示を行う。また、休憩時に周辺の地域情報から休憩場所に適した場所を検索して提示するフローを追加することによって更なる利便性の向上を図ることができる。この場合は、ネット情報との連携、ナビゲーションシステムとの連携を行う。
【０１２７】
これにより、太陽光発電を行うと共にその際に得られる発電量情報によって二次的な利便性を見出しその結果、日常生活での活用を促すことができる。
【０１２８】
（実施形態7）
本実施形態７では、ナビゲーションシステムと連動したエクササイズソフトウェアにおいて、観測値が判定値に達する前の事前の休憩時刻や休息場所の提示について説明する。ここでは、図４のポータブル太陽電池発電システム１Ｆに適用して説明する。
【０１２９】
本実施形態７のポータブル太陽電池発電システム１Ｆにおけるソフトウェア部７Ｆは、可読記録媒体としてのＲＯＭからＲＡＭ内に読み出された制御プログラムおよびそのデータに基づいて、データ合成部１２Ｃから出力される観測値が予め設定された判定値に達する前に、観測値が判定値に達する時間を予測し、事前に休憩時刻を提示する休息タイミング予測手段と、観測値が予め設定された判定値以上であるかどうかを判定する比較判定手段と、観測値が判定値以上である場合に、休息条件に対応したナビゲーションシステムの周辺情報を検索して休息情報を提示する情報提示手段とを有している。
【０１３０】
また、本実施形態７のポータブル太陽電池発電システム１Ｆにおけるソフトウェア部７Ｆは、行き先を設定するナビゲーションシステムの行き先までの距離情報と発電量情報、運動量情報、移動量情報、気温情報のいずれかまたはそれぞれの組合せデータの観測値から判定値に達する箇所を予測し、事前に休憩時刻または休憩場所、その両方を提示する事前情報提示手段と、観測値が予め設定された判定値以上であるかどうかを判定する比較判定手段と、観測値が判定値以上である場合に、休息条件に対応したナビゲーションシステムの周辺情報を検索して休息情報を提示する情報提示手段とを有している。
【０１３１】
図７（ａ）は、本発明の実施形態７におけるポータブル太陽電池発電システムの休息タイミング予測動作例を示すフローチャートであり、図７（ｂ）は、本発明の実施形態７におけるポータブル太陽電池発電システムの休息場所算出動作例を示すフローチャートである。
【０１３２】
図７（ａ）の休息タイミング予測動作事例に示すように、本実施形態７のポータブル太陽電池発電システム１Ｆは、まず、ステップＳ２１でデータ観測を行う。即ち、データ変換部６は、光を受けて発電する太陽電池２によって得られた発電量を、発電量によって変動する数値データ（入力データ）に変換する。また、タイマ部１１は発電時間を測定する。温度計１３は外気温（温度情報）を計測する。万歩計（登録商標）１４は距離情報を計測し、または自転車の距離メータ１５は走行距離情報を計測する。さらに、自転車の速度メータ１６は運動情報を計測する。
【０１３３】
次に、ステップＳ２２でデータ合成を行う。即ち、データ合成部１２Ｃは、発電量、発電時間、温度情報、移動距離情報および運動情報をデータ合成して、ユーザがどれだけ太陽光および気温を含む周囲環境負荷（ストレス）に晒されて体力を奪われたかを示す観測値をソフトウェア部７Ｆに出力する。
【０１３４】
続いて、ステップＳ２３で発電量、発電時間、温度情報および移動距離情報を定数とし、運動情報を変数としてから休息タイミング予測演算処理を行って休息時刻の提示をユーザに行う。要するに、発電量や温度情報に対応する太陽光の日差しや温度は夕立が降らない限り大きく変化するものではなく、これらは定数に換算できる。自転車の速度メータからの運動情報は変化するものであるが、その平均値を取れば、次の休息タイミングを予測演算することができる。これによって、データ合成部１２Ｃから出力される観測値が予め設定された判定値に達する前に、観測値が判定値へ達する時間を予測し、事前に休憩時刻を通知することができる。これによって、休憩ポイントや給水ポイントなどユーザは前もって自転車による旅の計画を練ることができる。
【０１３５】
その後、テップＳ２４でデータ合成部１２Ｃから出力される観測値が予め設定された判定値以上になるまで待ち、比較判定手段が、観測値が判定値以上であると判定したときに（ＹＥＳ）、テップＳ２５で休息条件設定処理を行い、テップＳ２６で休息が完了するまで待ち、休息が完了した場合に処理動作全体が終了したかどうかを調べて処理動作が終了していなければ（ＮＯ）、ステップＳ２１のデータ観測処理に戻る。なお、テップＳ２４で観測値が判定値以上ではない場合（ＮＯ）にも処理動作全体が終了したかどうかを調べて処理動作が終了していなければ（ＮＯ）、ステップＳ２１のデータ観測処理に戻る。
【０１３６】
次に、図７（ｂ）の休息場所算出動作事例に示すように、本実施形態７のポータブル太陽電池発電システム１Ｆは、まず、ステップＳ２１でデータ観測を行う。即ち、データ変換部６は、光を受けて発電する太陽電池２によって得られた発電量を、発電量によって変動する数値データ（入力データ）に変換する。また、タイマ部１１は発電時間を測定する。温度計１３は外気温（温度情報）を計測する。万歩計（登録商標）１４は距離情報を計測し、または自転車の距離メータ１５は走行距離情報を計測する。さらに、自転車の速度メータ１６は運動情報を計測する。
【０１３７】
次に、ステップＳ２２でデータ合成を行う。即ち、データ合成部１２Ｃは、発電量、発電時間、温度情報、移動距離情報および運動情報をデータ合成して、ユーザがどれだけ太陽光および気温を含む周囲環境負荷（ストレス）に晒されて体力を奪われたかを示す観測値をソフトウェア部７Ｆに出力する。
【０１３８】
続いて、ステップＳ２３Ａで、目標値、例えば京都駅から清水寺を設定する。データ合成部１２Ｃからの観測値と予め設定された判定値との比較から、京都駅から清水寺の経路中で次の休息場所や給水場所の算出処理を前もって行って休息場所（例えば町屋の中に喫茶店があるなど）の提示をユーザに行う。要するに、行き先を設定するナビゲーション機能を有しその行き先までの距離と発電量情報、運動量情報、移動量情報、気温情報のいずれかまたはそれぞれの組合せデータから判定値へ達する箇所を予測し、事前に休憩時刻または休憩場所、その両方を提示することができる。これによって、ユーザは楽しみながら自転車の旅をすることができる。
【０１３９】
その後、ステップＳ２４でデータ合成部１２Ｃから出力される観測値が予め設定された判定値以上になるまで待ち、比較判定手段が、観測値が判定値以上であると判定したときに（ＹＥＳ）、ステップＳ２５で休息条件設定処理を行い、テップＳ２６で休息が完了するまで待ち、休息が完了した場合に処理動作全体が終了したかどうかを調べて処理動作が終了していなければ（ＮＯ）、ステップＳ２１のデータ観測処理に戻る。なお、テップＳ２４で観測値が判定値以上ではない場合（ＮＯ）にも処理動作全体が終了したかどうかを調べて処理動作が終了していなければ（ＮＯ）、ステップＳ２１のデータ観測処理に戻る。
【０１４０】
ステップＳ２５の休息条件設定処理において、休息条件として例えば日陰や休憩場所、給水場所が必要であれば、ナビゲーションシステムの周辺情報から日陰や休憩場所、給水場所に対応した公園や喫茶店の位置を表示画面上の地図上で提示する。
【０１４１】
本実施形態７のポータブル太陽電池発電システム１Ｆの駆動方法は、可読記録媒体としてのＲＯＭからＲＡＭ内に読み出された制御プログラムおよびそのデータに基づいて、比較判定手段が、観測値が判定値以上であるかどうかを判定する比較判定工程と、観測値が判定値以上であると比較判定手段が判定した場合に、情報提示手段が、休息条件に対応したナビゲーションシステムの周辺情報を検索して該休息条件に対応した休息情報を提示する情報提示工程とを有している。
【０１４２】
本実施形態７のポータブル太陽電池発電システム１Ｆの駆動方法は、可読記録媒体としてのＲＯＭからＲＡＭ内に読み出された制御プログラムおよびそのデータに基づいて、休息タイミング予測手段が、観測値が判定値に達する前に、観測値が該判定値に達する時間を予測し、事前に休憩時刻を提示する休息タイミング予測工程を比較判定工程の前に更に有している。
【０１４３】
また、本実施形態７のポータブル太陽電池発電システム１Ｆの駆動方法は、可読記録媒体としてのＲＯＭからＲＡＭ内に読み出された制御プログラムおよびそのデータに基づいて、事前情報提示手段が、行き先を設定するナビゲーションシステムの行き先までの距離情報、発電量情報、運動量情報、移動量情報および気温情報のうちの少なくとも発電量情報から得られる前記観測値から前記判定値に達する場所を予測し、事前に休憩時刻または休憩場所、その両方を提示する信号を出力する事前情報提示工程を前記比較判定工程の前に更に有している。
【０１４４】
以上により、本実施形態７によれば、ポータブル太陽電池発電システム１Ｆは休息タイミングを事前に予測して提示するシステムである。予測フローとして太陽光ストレスデータおよび気温情報などに対してこれらを定数とし、運動情報を変数として観測値が判定値に達する時間を予め提示することができる。この時間を元にポータブル太陽電池発電システム１Ｆの保有者であるユーザは休息のプランを予め設定することができる。
【０１４５】
また、ナビゲーションシステムとの連携により目標観測値を設定している場合はこの休息予測場所を特定することができ、事前に周辺情報検索機能と連携しておけば休息箇所として適切な日陰のある公園や喫茶店等の情報をユーザに提示することも可能である。これにより、太陽光発電を行うと共にその際に得られる発電量情報によって二次的な利便性を見出しその結果、日常生活での活用を促すことができる。
（実施形態８）
本実施形態８では、ナビゲーションシステムと連動したエクササイズソフトウェアにおいて、太陽電池２の劣化の有無を検出して発電量を補正する場合について説明する。ここでは、図４のポータブル太陽電池発電システム１Ｇに適用して説明する。
【０１４６】
本実施形態８のポータブル太陽電池発電システム１Ｇにおけるソフトウェア部７Ｇは、可読記録媒体としてのＲＯＭからＲＡＭ内に読み出された制御プログラムおよびそのデータに基づいて、太陽電池２の劣化の有無を検出する太陽電池検査手段と、太陽電池２が劣化しかつ二次電池４への充電が可能な場合に太陽電池２の劣化程度に応じた発電量の補正を行う発電量補正手段と、観測値が予め設定された判定値以上であるかどうかを判定する比較判定手段と、観測値が判定値以上である場合に、休息条件に対応したナビゲーションシステムの周辺情報を検索して休息情報を提示する情報提示手段とを有している。
【０１４７】
図８は、本発明の実施形態８におけるポータブル太陽電池発電システムの太陽電池検査および発電量補正処理を含む動作事例を示すフローチャートである。
【０１４８】
図８に示すように、本実施形態８のポータブル太陽電池発電システム１Ｇは、まず、ステップＳ３１でデータ観測を行う。即ち、データ変換部６は、光を受けて発電する太陽電池２によって得られた発電量を、発電量によって変動する数値データ（入力データ）に変換する。また、タイマ部１１は発電時間を測定する。温度計１３は外気温（温度情報）を計測する。万歩計（登録商標）１４は距離情報を計測し、または自転車の距離メータ１５は走行距離情報を計測する。さらに、自転車の速度メータ１６は運動情報を計測する。
【０１４９】
次に、ステップＳ３２で太陽電池観測処理を行う。太陽電池観測処理は、太陽電池検査手段が、ステップＳ３２１で太陽電池２の劣化の有無を検出し、その検出結果に基づいてステップＳ３２２で太陽電池２が劣化しているかどうかを判定する太陽電池検査工程とを有している。
【０１５０】
続いて、ステップＳ３３で太陽電池２が劣化している場合（ＹＥＳ）に太陽電池発電量補正処理を行う。即ち、太陽電池発電量補正処理は、発電量補正手段が、ステップＳ３３１で二次電池４への発電量の充電が可能かどうかを判定し、ステップＳ３３２で充電が可能な場合（ＹＥＳ）に太陽電池２が劣化程度（劣化量）に応じた発電量の補正を行う。また、ステップＳ３３１で充電が不可能な場合（ＮＯ）には不具合表示を行うかまたは不具合を知らせる音を発生させる。
【０１５１】
このように、ポータブル太陽電池発電システム１Ｇの動作開始時点または定期的な観測タイミング時点のステップＳ３２１で太陽電池２の劣化を観測し、ステップＳ３３２で太陽電池２が劣化程度（劣化量）に応じた発電量の補正を行い、補正が困難となる値まで劣化が進んだ場合、即ち、ステップＳ３３１で充電が不可能な場合（ＮＯ）にアラーム（不具合表示または不具合を知らせる音）を提示する。なお、この「発電量の補正」の他に、その劣化量から観測値または判定値もしくはその両方の補正を行ってもよく、補正が困難となる値まで劣化が進んだ場合はアラームを提示する。
【０１５２】
ここで、太陽電池観測処理についてさらに具体的に説明する。ステップＳ３２Ａの第１の太陽電池観測処理において、まず、ステップＳ３２１Ａで発電量の観測を行い、ステップＳ３２２Ａで太陽の照射強度の観測を行う。次に、ステップＳ３２３Ａで測定照度による発電量の判定を行う。即ち、ポータブル太陽電池発電システム１Ｇの内部または外部の太陽の照射強度観測値と発電量との比較検証処理によって太陽電池２が劣化したかどうかの劣化検出を行う。太陽の照射強度観測定値に対する発電量の基準値（初期段階で照射強度に対する太陽電池発電量を基準データとして保存）を予め用意しておき、発電量の基準値に対して実際の発電量との差を劣化量として演算する。この劣化量が閾値よりも大きくなったときに太陽電池２の劣化判定となる。
【０１５３】
ステップＳ３２Ｂの第２の太陽電池観測処理において、ポータブル太陽電池発電システム１Ｇ内に搭載される複数の太陽電池パネルの各発電量の差を比較することによって太陽電池２の劣化検出を行う。即ち、ステップＳ３２１Ｂで複数の太陽電池パネルの個別の発電量の観測を行い、ステップＳ３２２Ｂで個別の発電量間の差分を演算して個別の発電量間のばらつきを求める。次に、ステップＳ３２３Ｂで発電量間の差分値と閾値とを比較して発電量差分判定を行うことにより、この発電量間の差分値が閾値よりも大きくなったときに太陽電池２の劣化判定となる。
【０１５４】
ステップＳ３２Ｃの第３の太陽電池観測処理において、ポータブル太陽電池発電システム１Ｇにおいて、搭載されている太陽電池２に対して遮光した状態で太陽電池２に電圧を印加した状態でのリーク電流を確認することによって太陽電池２の劣化検出を行う。即ち、ステップＳ３２１Ｃで遮光状態の太陽電池２に所定電圧を印加した状態でリーク電流量を観測し、ステップＳ３２２Ｃでそのリーク電流量の初期値をロードする。ロードしたリーク電流量と閾値とを比較し、このリーク電流量が閾値よりも大きくなったときに太陽電池２の劣化判定となる。
【０１５５】
さらに、ステップＳ３２で太陽電池２に劣化がない場合（ＮＯ）に、ステップＳ３４でデータ観測を行う。即ち、データ変換部６は、光を受けて発電する太陽電池２によって得られた発電量を、発電量によって変動する数値データ（入力データ）に変換する。また、タイマ部１１は発電時間を測定する。温度計１３は外気温（温度情報）を計測する。万歩計（登録商標）１４は距離情報を計測し、または自転車の距離メータ１５は走行距離情報を計測する。さらに、自転車の速度メータ１６は運動情報を計測する。
【０１５６】
次に、ステップＳ３５で、ステップＳ３４のデータ観測の後または、ステップＳ３３の発電量補正処理の後にデータ合成を行う。即ち、データ合成部１２Ｃは、発電量、発電時間、温度情報、移動距離情報および運動情報をデータ合成して、ユーザがどれだけ太陽光および気温を含む周囲環境負荷（ストレス）に晒されて体力をどの程度奪われたかを示す観測値をソフトウェア部７Ｇに出力する。
【０１５７】
続いて、ステップＳ３６でデータ合成部１２Ｃから出力される観測値が予め設定された判定値以上になるまで待ち、ソフトウェア部７Ｇの比較判定手段が、その観測値が判定値以上であると判定したときに（ＹＥＳ）、ステップＳ３７で休息条件設定処理を行い、ステップＳ３８で休息が完了するまで待ち、休息が完了した場合（ＹＥＳ）にステップＳ３９で処理動作全体が終了したかどうかを調べて処理動作が終了していなければ（ＮＯ）、ステップＳ３４のデータ観測処理に戻る。なお、テップＳ３６で観測値が判定値以上ではない場合（ＮＯ）にもステップＳ３９で処理動作全体が終了したかどうかを調べて処理動作が終了していなければ（ＮＯ）、ステップＳ３４のデータ観測処理に戻る。
【０１５８】
以上のように、本実施形態８では、太陽電池２自体の劣化によって適切な発電量データが入手できなくなった場合にこれを補正するものである。太陽電池２自体の劣化速度はポータブル太陽電池発電システム１Ｇの製品寿命に比べて長く、劣化監視はそれほど重要ではないが、現在研究が進んでいる色素増感タイプの太陽電池は安価である反面寿命が１年程度のものが多く、この劣化監視は今後必要となってくる可能性がある。また、屋根の上に設置されている大型の太陽電池と異なり、携帯しているため落下等の物理的衝撃によって搭載されている太陽電池が破損する可能性があり、このため、この太陽電池２の劣化監視は必要である。
【０１５９】
太陽電池観測処理については具体的に前述したが、システム起動時または定期的な観測タイミングにおいてこの太陽電池２の劣化計測を行う。その劣化計測方法としても前述したが次の３種類である。
【０１６０】
１つ目の太陽電池２の劣化計測方法は、照度計を用いる方法である。太陽電池２は照度に比例して発電量が決定する。この特性を生かすために初期段階でこの照射強度の太陽電池発電量をデータとして保存しておく。次に、太陽電池観測工程において照度観測と発電量観測を同時または順次に行う。保存されている照度に対する発電量のデータとこの太陽電池観測工程にて観測した照度および発電量を比較し、太陽電池２の劣化判定を行う。この劣化量に応じて発電量データの補正値を決定する。
【０１６１】
２つ目の太陽電池２の劣化計測方法は、ポータブル太陽電池発電システム１Ｇ内に搭載されている複数の太陽電池パネルの相互誤差を算出するものである。システム起動時または定期的な観測タイミングで行う太陽電池観測工程においてそれぞれの太陽電池パネルにおける発電量を観測する。これらの発電量の差分値を演算し、その差分値が予め設定していた発電量差分判定値（閾値）を超えた場合に太陽電池２の劣化と判定する。落下時の衝撃による太陽電池２の破損は、通常、複数の太陽電池パネルを使用している太陽電池の場合全面が破損するよりも個別に破損することが多い。このため、この太陽電池２の劣化計測方法は適切である。また、個別に検出できることから一部だけ部品が交換できること、照度計といったコストの高い部品が不要であることからこの太陽電池２の劣化計測方法は利便性が高い。なお、太陽電池２は１個当たり０．５Ｖで太陽電池２を１０個直列接続すると、その出力電圧が５Ｖになる。
【０１６２】
３つ目の太陽電池２の劣化計測方法は、システム起動時または定期的な観測タイミングで行う太陽電池観測工程において、遮光した太陽電池２を逆方向に接続してリーク電流を観測する方法である。この場合、太陽電池２の初期リーク電流値の保存が必要となる。劣化判定時には観測したリーク電流とこの保存した初期リーク電流値との比較を行う。この方法は、実際に発電量を観測しないため補正が困難なこと、判定誤差が大きいことから完全に破損している場合の判定となる。しかしながら、太陽光を照射しないでよいことから安易に破損判定が実現できる。
【０１６３】
即ち、本実施形態８のポータブル太陽電池発電システム１Ｇの駆動方法は、可読記録媒体としてのＲＯＭからＲＡＭ内に読み出された制御プログラムおよびそのデータに基づいて、システムの動作開始または定期的な観測タイミングで、太陽電池検査手段が、太陽電池２の劣化の有無を検出する太陽電池検査工程と、発電量補正手段が、太陽電池２が劣化しかつ電力保持デバイスとしての二次電池４への充電が可能な場合に太陽電池２が劣化した程度に応じた発電量の補正を行う発電量補正工程とを有している。
【０１６４】
この太陽電池検査工程は太陽電池の劣化量を観測し、発電量補正工程は劣化量から観測値または判定値、その両方の補正を行い、補正が困難となる値まで劣化が進んだ場合はアラームを提示する信号を出力する。
【０１６５】
また、太陽電池検査工程は、システム内部または外部に太陽の照射強度の観測する照射強度観測部で観測された照射強度観測値と発電量との比較検証によって発電量が基準値以上になったときに太陽電池２の劣化を検出する。
【０１６６】
さらに、太陽電池検査工程は、太陽電池２を構成する複数の太陽電池パネルの各発電量の差分値と基準値とを比較して差分値が基準値以上になったときに太陽電池２の劣化を検出する。
【０１６７】
さらに、太陽電池検査工程は、太陽電池２に対して遮光しかつ太陽電池２に逆方向電圧を印加した状態で計測したリーク電流値と基準値とを比較してリーク電流値が基準値以上になったときに太陽電池２の劣化を検出する。
【０１６８】
以上、３つの太陽電池２の劣化計測方法はそれぞれ、太陽光の強さに対して劣化量に応じた発電量のデータ補正を行い、誤差を調整していく。ただし、太陽光強度とデータ量の関係の線形性が崩れるほどの劣化や太陽電池搭載の主目的である充電特性が大幅に低下するほどの劣化の場合は補正を停止し、ただちに故障のアラームとなる不具合表示を行いシステムを停止させる。これにより劣化した状態を観測しにくいポータブル太陽電池発電システム１Ｇの信頼性を向上させることができる。
【０１６９】
なお、上記実施形態６〜８では、図４のポータブル太陽電池発電システム１Ｅ〜１Ｇのいずれかに適用した場合について説明したが、これに限らず、図２、図３および図５のポータブル太陽電池発電システム１Ａ、１Ｂおよび１Ｄのいずれかに適用させることもできる。
【０１７０】
（実施形態９）
本実施形態９では、太陽電池２の発電電力の捕集とその発電電力の観測の具体的事例について説明する。
【０１７１】
図９は、本発明の実施形態９におけるポータブル太陽電池発電システムの要部構成例を示すブロック図である。
【０１７２】
図９において、本実施形態９のポータブル太陽電池発電システム１Ｈは、本実施形態１のポータブル太陽電池発電システム１は、光を受けて発電する太陽電池２と、太陽電池２からの電力を受けて充電制御機能を持つＭＰＰＴ（ＭａｘＰｏｗｅｒ Ｐｏｉｎｔ Ｔｒａｃｋｉｎｇ）制御部２１と、電力を一旦蓄積するキャパシタ部２２と、キャパシタ部２２からの放電電流を受けてパルス状波形を出力するＤＣ／ＤＣコンバータ２３と、ＤＣ／ＤＣコンバータ２３からのパルス電流を充電する電力保持デバイスとしての二次電池４と、ＤＣ／ＤＣコンバータ２３からのパルス電圧をカウントするカウンタ手段２４と、カウンタ手段２４からのカウント値を太陽電池２の発電量に応じた入力値として供給するソフトウェア部７Ｈとを有している。
【０１７３】
ポータブル太陽電池発電システム１Ｈは、光を受けて発電する太陽電池２によって得られた発電量をＭＰＰＴ制御部２１の充電制御機能によってキャパシタ部２２に充電し、そのキャパシタ部２２の入電電圧が上限規定値を超えた時にキャパシタ部２２からＤＣ／ＤＣコンバータ２３を介して二次電池４へ電力を放出し、キャパシタ部２２の電圧が下限規定値より低下した際にキャパシタ部２２からＤＣ／ＤＣコンバータ２３を介して二次電池４への充電を停止するようになっている。
【０１７４】
ポータブル太陽電池発電システム１Ｈは、単位時間当たりのキャパシタ部２２からＤＣ／ＤＣコンバータ２３を介して二次電池４へ充電する回数をカウンタ手段２４で観測することによってソフトウェア部７Ｈで発電量を算出することができる。ＤＣ／ＤＣコンバータ２３からのパルス電圧のパルス数は発電量が増大するほど多くなる。
【０１７５】
上記構成により、光を受けて発電する太陽電池２によって得られた発電電力はＭＰＰＴ制御部２１によって充電制御されてキャパシタ部２２に充電される。太陽電池２は出力電圧が低ければ低い程その出力電流が多くなる特性があるため、そのキャパシタ部２２が充電素子である場合、一般的な二次電池４よりも充電速度が速い。また、キャパシタ部２２の前段にＭＰＰＴ制御部２１が搭載されて充電制御機能を有している場合、さらに充電対象となる素子の電圧が低ければ低い程、充電電流を多く流すことができる。
【０１７６】
しかしながら、二次電池４のように充電電流の最大値がその太陽電池２の残電圧量によって制限されているため、この優位性を十分に発揮できない。これに対して、キャパシタ部２２はこの最大値の規定がないため、ＭＰＰＴ制御部２１の充電制御機能との相性がよく、さらに充電速度が上昇する。これは容量が通常のキャパシタ部２２よりもはるかに大きい電気二重層コンデンサでも同じ効果を有する。
【０１７７】
このキャパシタ部２２からの放電出力は後段のＤＣ/ＤＣコンバータ２３の一次電源となっている。一般的に、ＤＣ/ＤＣコンバータ２３には、低電圧低下検出回路（ＵＶＬＯ機能）が搭載されており、一次電圧が起動電圧以上になると、ＤＣ/ＤＣコンバータ２３が起動し、停止電圧以下になると、ＤＣ/ＤＣコンバータ２３は停止する。なお、この起動電圧と停止電圧の間には一般的にヒステリシスが存在する。このシステムではキャパシタ部２２の後段のＤＣ/ＤＣコンバータ２３の出力に二次電池４を接続している。二次電池４の容量が中間にあるキャパシタ部２２の容量よりもはるかに大きいため、太陽電池２の発電が行われ、キャパシタ部２２に充電を行いそのキャパシタ部２２の充電電圧が上昇し、ＤＣ/ＤＣコンバータ２３が起動して二次電池４に電力を供給すると、ある一定時間が過ぎるとキャパシタ部２２の電圧が低下し、ＤＣ/ＤＣコンバータ２３は停止する。
【０１７８】
太陽光の強度が高く発電量が大きい場合は、単位時間当たりのＤＣ/ＤＣコンバータ２３の起動回数が増加し、逆に、発電量が小さい場合には、この一単位時間当たりのＤＣ/ＤＣコンバータ２３の起動回数が減少する。このため、ＤＣ/ＤＣコンバータ２３からの出力は、充電開始の度に起動するため、その立ち上がりエッジを検出するロジック回路を搭載し、この単位時間当たりの発電回数をデジタル回路であるカウンタ手段２４としてのカウンタ回路によって観測することによって、低コスト・低損失で発電量監視回路を実現することができる。
【０１７９】
したがって、本実施形態１〜９によれば、太陽電池２で発電した発電電力を電力保持デバイスとしての二次電池４に充電可能とするポータブル太陽電池発電システム１、１Ａ〜１Ｈのいずれかにおいて、太陽電池２によって得られた発電量を発電量によって変動する数値データに変換するデータ変換部６と、数値データを二次電池４に応じた入力データにさらに変換してこれを発電量モニタおよび電力保持デバイスへの充電制御以外の用途に使用するソフトウェア部７、７Ａ〜７Ｈのいずれかとを有している。
【０１８０】
これによって、太陽電池２から得られる発電電力量を数値化し、この発電量に応じた数値データを各種ゲームや各種エクササイズなどソフトウェアの機能と組み合わせることにより、ポータブルゲーム機や自転車ナビゲーションシステムなどに必要とされる環境情報デバイスとして太陽電池発電の二次的な利便性を見出しポータブル太陽電池発電システム１、１Ａ〜１Ｈを活用することによってポータブル太陽電池発電システム１、１Ａ〜１Ｈの信頼性を向上させることができる。
【０１８１】
よって、太陽光発電を行うと共にその際に得られる発電量管理によって二次的な利便性を見出し、その結果、日常生活での活用を促すことができて有事の時にも日頃の使用により役に立たせることができる。
【０１８２】
以上のように、本発明の好ましい実施形態１〜９を用いて本発明を例示してきたが、本発明は、この実施形態１〜９に限定して解釈されるべきものではない。本発明は、特許請求の範囲によってのみその範囲が解釈されるべきであることが理解される。当業者は、本発明の具体的な好ましい実施形態１〜９の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１８３】
本発明は、例えば携帯電話装置やポータブルゲーム機などの充電用デバイスとして用いられ、太陽光の強度を太陽電池の発電量によって観測しその発電量に応じたデータ値を充電以外の目的に使用するポータブル太陽電池発電システムの分野において、太陽光発電を行うと共にその際に得られる発電量管理によって二次的な利便性を見出しその結果日常生活での活用を促すことができて有事の時にも日頃の使用により役に立たせることができる。
【符号の説明】
【０１８４】
１、１Ａ〜１Ｇ  ポータブル太陽電池発電システム
２  太陽電池
３  充電制御部
４  二次電池
５  発電監視部
６  データ変換部
７、７Ａ〜７Ｈ  ソフトウェア部
８  ネットワークデータベース
１１  タイマ部
１２、１２Ｂ〜１２Ｄ  データ合成部
１３  温度計
１４  万歩計（登録商標）
１５  距離メータ
１６  速度メータ
１７  判定値入力部
１８  判定合成部
２１  ＭＰＰＴ制御部
２２  キャパシタ部
２３  ＤＣ／ＤＣコンバータ
２４  カウンタ手段
【図１】
0005800725.tif 000002
【図２】
0005800725.tif 000003
【図３】
0005800725.tif 000004
【図４】
0005800725.tif 000005
【図５】
0005800725.tif 000006
【図６】
0005800725.tif 000007
【図７】
0005800725.tif 000008
【図８】
0005800725.tif 000009
【図９】
0005800725.tif 000010
【図１０】
0005800725.tif 000011